(57)【要約】【課題】歯ブラシと練り歯磨きチューブとＹ型デンタルフロスとを収納し、中身が見え、換気が良好で、使いやすい携帯用収納ケースを提供する。【解決手段】歯ブラシ２０と練り歯磨きチューブ３０とＹ型デンタルフロス４０とを収納するケース本体１００  の後側板の上端に、蓋２００  をヒンジを介して回転開閉可能に取り付けた偏平状の携帯用収納ケース１０であり、ケース本体は、底板１１０  の前後方向の中程より後側板１３０  側で左右方向の左端側に、歯ブラシのブラシ部２１を掛着する掛着板１１１  を突設してブラシ部収納部１１４  を形成し、底板の前後方向の中程より後側板側で左右方向の中程より右側に、Ｙ型デンタルフロスの柄４２の先端部を嵌着する嵌着板１１３  を突設し、ブラシ部収納部の底板に複数個の通気孔１１１  を設け、蓋は、天板２１０  の中央位置に窓部２１１  を設け、窓部に透明窓板３００  を嵌着し、天板の前側板２２０  と右側板２５０  との隅部に複数個の通気孔２１４  を設ける。【選択図】図１
2004209174.tif 000002
【特許請求の範囲】
【請求項１】
底板と前側板と後側板と左側板と右側板とからなる角状のケース本体の前記後側板の上端に、天板と前側板と後側板と左側板と右側板とからなる角状の蓋をヒンジを介して開閉可能に取り付け、前記ケース本体に歯ブラシと練り歯磨きチューブとデンタルフロスとを収納する偏平状の携帯用収納ケースであって、前記ケース本体は、底板の前後方向の中程より後側板側で左右方向の左端側に、前記歯ブラシのブラシ部を掛着する掛着板を突設してブラシ部収納部を形成し、底板の前後方向の中程より後側板側で左右方向の中程より右側に、前記デンタルフロスの柄の先端部を嵌着する嵌着板を突設し、前記ブラシ部収納部の底板に複数個の通気孔を設け、前記蓋は、天板の中央位置に窓部を設け、該窓部に透明窓板を嵌着し、天板の前側板と右側板との隅部に複数個の通気孔を設け、前記ケース本体内に、前記歯ブラシの柄側を後側板に沿わせ、ブラシ部を掛着板に掛着させてブラシ部収納部に収納して歯ブラシを収納し、前記デンタルフロスの柄の先端部を嵌着板に嵌着し、フロス部を右側板の内側近傍に位置させて前記デンタルフロスを収納し、前記練り歯磨きチューブのキャップを右側板側にして、前記掛着板の右側で前記嵌着板の前側位置に前記練り歯磨きチューブを収納することを特徴とする携帯用収納ケース。
【発明の詳細な説明】
【０００１】
【発明の属する技術分野】
本発明は、歯ブラシと練り歯磨きチューブとデンタルフロスとの３点掃除用器具を収納する携帯用収納ケースに関するものである。
【０００２】
【従来の技術】
従来、歯の掃除用器具の携帯用収納ケースとしては、歯ブラシと練り歯磨きチューブとを収納するケース本体と蓋とからなる携帯用収納ケースが一般的に使用されていた。
【０００３】
【発明が解決しようとする課題】
ところが、最近では、歯と歯の間に溜まった歯垢が、歯ブラシだけではなかなか除去することができないことから、歯間部の歯垢をとるためにデンタルフロス（絹糸）や歯間ブラシなどの歯間部清掃器具が使用されるようになってきた。しかしながら、歯の掃除用器具の携帯用収納ケースとしては、歯ブラシと練り歯磨きチューブとを収納するものが一般的であり、歯ブラシと練り歯磨きチューブとデンタルフロスとを収納する歯の３点掃除用器具の携帯用収納ケースの開発が、強くユーザー側から求められていた。また、従来の携帯用収納ケースは、通気孔が一箇所で換気が不十分なことがあり、また、歯ブラシと練り歯磨きチューブとが一緒に入れられているため、使用するときに、使用しにくいこともあった。
【０００４】
本発明は、上述の従来の歯の掃除用器具の携帯用収納ケースの問題を解決したものであり、歯ブラシと練り歯磨きチューブとデンタルフロスとを収納し、外から収納品が見え、換気が良好で、使用時に使いやすい歯の３点掃除用器具の携帯用収納ケースを提供するものである。
【０００５】
【課題を解決するための手段】
すなわち、底板と前側板と後側板と左側板と右側板とからなる角状のケース本体の前記後側板の上端に、天板と前側板と後側板と左側板と右側板とからなる角状の蓋をヒンジを介して開閉可能に取り付け、前記ケース本体に歯ブラシと練り歯磨きチューブとデンタルフロスとを収納する偏平状の携帯用収納ケースであって、前記ケース本体は、底板の前後方向の中程より後側板側で左右方向の左端側に、前記歯ブラシのブラシ部を掛着する掛着板を突設してブラシ部収納部を形成し、底板の前後方向の中程より後側板側で左右方向の中程より右側に、前記デンタルフロスの柄の先端部を嵌着する嵌着板を突設し、前記ブラシ部収納部の底板に複数個の通気孔を設け、前記蓋は、天板の中央位置に窓部を設け、この窓部に透明窓板を嵌着し、天板の前側板と右側板との隅部に複数個の通気孔を設け、前記ケース本体内に、前記歯ブラシの柄側を後側板に沿わせ、ブラシ部を掛着板に掛着させてブラシ部収納部に収納して歯ブラシを収納し、前記デンタルフロスの柄の先端部を嵌着板に嵌着し、フロス部を右側板の内側近傍に位置させて前記デンタルフロスを収納し、前記練り歯磨きチューブのキャップを右側板側にして、前記掛着板の右側で前記嵌着板の前側位置に前記練り歯磨きチューブを収納することを特徴とする携帯用収納ケースである。
【０００６】
【作用】
本発明の携帯用収納ケース（１０）は、図１に示すように、ケース本体（１００）内に、歯ブラシ（２０）の柄側（２２）を後側板（１３０）に沿わせ、ブラシ部（２１）を掛着板（１１１）に掛着させてブラシ部収納部（１１４）に収納して歯ブラシを収納し、デンタルフロス（４０）の柄（４２）の先端部を嵌着板（１１３）に嵌着し、フロス部（４１）を右側板（１５０）の内側近傍に位置させてデンタルフロスを収納し、練り歯磨きチューブ（３０）のキャップ（３２）を右側板（１５０）側にして、掛着板（１１１）の右側で嵌着板（１１３）の前側位置に練り歯磨きチューブを収納し、歯の３点掃除用器具を収納することができる。
【０００７】
また、本発明の携帯用収納ケース（１０）は、図１に示すように、蓋（２００）の天板（２１０）の中央位置に窓部（２１１）が設けられており、この窓部に透明窓板（３００）が嵌着しているため、ケース本体（１００）内に収納された歯ブラシ（２０）、デンタルフロス（４０）、練り歯磨きチューブ（３０）の３点掃除用器具を外から見ることができる。
【０００８】
また、本発明の携帯用収納ケース（１０）は、図１に示すように、ケース本体（１００）の後側板（１３０）と左側板（１４０）との隅部のブラシ部収納部（１１４）の底板（１１０）に複数個の通気孔（１１２）が設けられ、また、蓋の天板の前側板（２２０）と右側板（２５０）との隅部に複数個の通気孔が設けられ、上下のほぼ対角線上の二箇所に通気孔が設けられているため、トンネル効果があり、従来の通気孔が一箇所しかない携帯用収納ケースに比較して、ケース内の換気が極めて良好である。
【０００９】
また、本発明の携帯用収納ケース（１０）は、図１に示すように、偏平状の横型であり、蓋（２００）を後方へ回転して開けると、ケース本体（１００）内に、歯ブラシ（２０）が、ブラシ部（２１）を掛着板（１１１）に掛着させてブラシ部収納部（１１４）に収納し、柄（２２）側を後側板（１３０）に沿わせ収納され、デンタルフロス（４０）が、柄（４２）の先端部を嵌着板（１１３）に嵌着し、フロス部（４１）を右側板（１５０）の内側近傍に位置させて収納され、練り歯磨きチューブ（３０）が、キャップ（３２）を右側板（１５０）側にして、掛着板（１１１）の右側で嵌着板（１１３）の前側位置に収納され、歯ブラシ、デンタルフロス、練り歯磨きチューブの歯の３点掃除用器具が整然と横位置に収納されているため、使用するときに、それぞれの必要な器具を取り出しやすい。
【００１０】
【発明の実施の形態】
次に、本発明の携帯用収納ケースを一実施形態に基づいて、図を用いて、詳細に説明する。
図１は、本発明の蓋を全開した携帯用収納ケースの一実施形態の平面図である。図２は、図１の携帯用収納ケースの蓋を全開したケース本体の平面図であり、図３は、蓋を全開した携帯用収納ケースの右側面図であり、図４は、携帯用収納ケースの蓋に嵌着する透明窓板の平面図であり、図５は、携帯用収納ケースの蓋を閉じたときの平面図である。
【００１１】
本実施形態の携帯用収納ケース（１０）は、図１に示すように、角状のケース本体（１００）の後側板の上端に、角状の天板に透明窓板（３００）を嵌着する窓部（２１１）をもつ蓋（２００）を二箇所のヒンジ（１１）を介して、図３に示すように、前後方向へ回転開閉可能に取り付け、図１に示すように、ケース本体（１００）内に歯ブラシ（２０）と練り歯磨きチューブ（３０）とＹ型デンタルフロス（４０，歯間部掃除器具）とを収納する歯の３点掃除用器具の偏平状の携帯用収納ケースである。尚、デンタルフロスはＹ型に限定するものではなく、Ｕ型など他の形態であってもよい。ヒンジは、二箇所に限ることなく任意の箇所に設けることができる。そして、ケース本体と蓋は、ポリプロピレンなどの適度の剛性をもつ熱可塑性樹脂を用いて、射出成形法により作製されるものである。なお、ケース本体と蓋とは、使用のしやすさ、商品価値の向上などの目的で色違いにしてもよい。また、透明窓に使用される透明窓板は、メタクリル樹脂などの透明な熱可塑性樹脂を用いて、射出成形法により作製されるものである。
【００１２】
本実施形態のケース本体（１００）の構造は、図２に示すように、底板（１１０）の前後方向の中程より後側板（１３０）側で左右方向の左端側に、歯ブラシのブラシ部を掛着する掛着板（１１１）を突設してブラシ部収納部（１１４）を形成し、底板の前後方向の中程より後側板側で左右方向の中程より右側に、Ｙ型デンタルフロスの柄の先端部を嵌着する嵌着板（１１３）を突設し、ブラシ部収納部の底板に、３個の左右方向で前後方向に並列する通気孔（１１２）を設けるものである。なお、通気孔は、上述の形状及び個数に限ることなく、任意の形状及び個数でよい。そして、前側板（１２０）と後側板と左側板（１４０）と右側板（１５０）の上端縁部の外側に、蓋の装着用段差（１０１）を連続させて設け、この装着用段差を設けた前側板の左右方向の中央の上端に蓋（２００）を係止する係止突起（１２１）を設けるものである。
【００１３】
また、本実施形態の蓋（２００）の構造は、図２に示すように、天板（２１０）の中央位置に半環形状の窓部（２１１）を設け、この窓部の周縁部の下面に連続する透明板の嵌着用段差（２１２）を設け、この嵌着用段差の内側下端に係止突起（２１３）を対称位置に等間隔で４個設け、天板（２１０）の前側板（２２０）と右側板（２５０）との隅部に、前側板側から後側板（２３０）方向へ５個、４個、３個の３列の通気孔（２１４）を設けるものである。なお、上述の窓部の形状は、任意の形状でよく、また、通気孔は、上述の形状及び個数に限ることなく、任意の形状及び個数でよい。そして、前側板と後側板と左側板（２４０）と右側板の下端縁部の内側に、ケース本体（１００）への装着用段差（２０１）を連続させて設け、この装着用段差を設けた前側板の左右方向の中央の下端にケース本体の係止突起（１２１）に係止する係止突起（２２１）を設けるものである。また、図５に示すように、本実施形態の蓋（２００）の天板（２１０）の上面には、デザインを考慮して、蓋の前側の右側に設けられている複数個の通気孔（２１４）と対称位置の左側に、通気孔の形状と個数が同一の装飾用凹み（２１５）を設けるものである。
【００１４】
また、蓋の天板に設ける窓部に嵌着する本実施形態の透明窓板（３００）は、図４に示すように、半環形状で、外周縁部の上面に、連続する嵌着用段差（３０１）を設けるものである。
【００１５】
そして、本発明の携帯用収納ケース（１０）への３点掃除用器具の収納の仕方は、図１に示すように、ケース本体（１００）内に、歯ブラシ（２０）の柄（２２）側を後側板（１３０）に沿わせ、ブラシ部（２１）を掛着板（１１１）に掛着させてブラシ部収納部（１１４）に収納して歯ブラシを収納し、Ｙ型デンタルフロス（４０）の柄（４１）の先端部を嵌着板（１１３）に嵌着し、フロス部（４１）を右側板（１５０）の内側近傍に位置させてＹ型デンタルフロスを収納し、練り歯磨きチューブ（３０）のキャップ（３２）を右側板側にして、掛着板（１１１）の右側で嵌着板（１１３）の前側位置に練り歯磨きチューブを収納するものである。
【００１６】
【発明の効果】
本発明の携帯用収納ケースは、ケース本体にヒンジを介して前後方向へ回転開閉可能に蓋が取り付けられており、ケース本体には、歯ブラシと練り歯磨きチューブとＹ型デンタルフロスが、出し入れ可能に整然と収納されており、また、偏平状の横型のケースであり、使用するときに、使用しやすい歯の３点掃除用器具の携帯用収納ケースである。
【００１７】
また、本発明の携帯用収納ケースは、ケース本体の後側板と左側板との隅部のブラシ部収納部の底板に複数個の通気孔が設けられ、また、蓋の天板の前側板と右側板との隅部に複数個の通気孔が設けられ、ケース内の換気が極めて良好である。
【００１８】
また、本発明の携帯用収納ケースは、蓋の天板の中央位置に窓部が設けられており、窓部には、透明窓板が嵌着されており、ケース本体内に収納された歯ブラシ、Ｙ型デンタルフロス、練り歯磨きチューブの３点掃除用器具を外から見ることができる。
【図面の簡単な説明】
【図１】本発明の蓋を全開した携帯用収納ケースの一実施形態の平面図である。
【図２】図１の携帯用収納ケースの蓋を全開したケース本体の平面図である。
【図３】図１の蓋を全開した携帯用収納ケースの右側面図である。
【図４】図１の携帯用収納ケースの蓋に嵌着する透明窓板の平面図である。
【図５】図１の携帯用収納ケースの蓋を閉じたときの平面図である。
【符号の説明】
１０……携帯用収納ケース
１１……ヒンジ
２０……歯ブラシ
２１……ブラシ部
２２，４２……柄
３０……練り歯磨きチューブ
３１……チューブ本体
３２……キャップ
４０……Ｙ型デンタルフロス
４１……フロス部
１００……ケース本体
１０１，２０１……装着用段差
１１０……底板
１１１……掛着板
１１２，２１４……通気孔
１１３……嵌着板
１１４……ブラシ部収納部
１２０，２２０……前側板
１２１，２１３，２２１……係止突起
１３０，２３０……後側板
１４０，２４０……左側板
１５０，２５０……右側板
２００……蓋
２１０……天板
２１１……窓部
２１２，３０１……嵌着用段差
２１５……装飾用凹み
３００……透明窓板
【図１】
2004209174.tif 000003
【図２】
2004209174.tif 000004
【図３】
2004209174.tif 000005
【図４】
2004209174.tif 000006
【図５】
2004209174.tif 000007